【手続補正書】
【提出日】平成21年7月13日(2009.7.13)
【手続補正１】
【補正対象書類名】明細書
【補正対象項目名】特許請求の範囲
【補正方法】変更
【補正の内容】
【特許請求の範囲】
【請求項１】  サービスを最終サービスプロバイダに関連付ける最終サービスドメインを含む前記サービスを管理するネットワークシステムであって、
前記最終サービスドメインは、
複数の卸売りサービスドメインのそれぞれが前記最終サービスドメインに対してトラフィックの移送を提供する少なくとも１つのネットワークを含む前記複数の卸売りサービスドメインと、
複数のゲートウェイの少なくとも第１のものは、前記複数の卸売りサービスドメインの１つを前記卸売りサービスドメインの別の１つに結合させ、前記結合された卸売りサービスドメイン間を通過するトラフィック上でプロトコル変換を実行するものであり、前記複数のゲートウェイの少なくとも第２のものは、ユーザを前記最終サービスドメインに結合するように構成され、前記サービスに関連したプロトコルによって前記ユーザと通信するようにさらに構成されるものである、前記複数のゲートウェイと、
前記最終サービスドメインによって与えられたアプリケーションの抽象的表現を提供する処理ドメインと、
前記最終サービスドメインと通信結合するサービス管理システムとを備えており、
前記サービス管理システムは、
前記サービスを提供するために、前記最終サービスドメイン内のリソースを表現する複数のソフトウェアオブジェクトと、
前記サービスの要求事項を前記最終サービスドメイン内のリソースと関連付けるルールを含むポリシーデータベースと
備えるものである、ネットワークシステム。
【請求項２】  前記サービスの要求事項は、
前記ユーザに関連したサービスの要求事項と、
前記最終サービスプロバイダに関連した取引の要求事項と
を含むものである、請求項１に記載のネットワークシステム。
【請求項３】  前記複数のゲートウェイの第１のものは、前記複数の卸売りサービスドメインの１つの中で内部接続をセットアップするようにさらに構成されるものである、請求項１に記載のネットワークシステム。
【請求項４】  前記複数のゲートウェイの第２のものは、到来するユーザのトラフィックを分析して、前記到来するユーザのトラフィックをアプリケーションに基づいて分離するようにさらに構成されるものである、請求項１に記載のネットワークシステム。
【請求項５】  サービスの配信を容易にする複数のリソースを含む最終サービスドメインを提供するステップと、
複数の仮想処理部と前記サービスに関連する前記最終サービスドメインからの複数の仮想接続部とを含むサービスモデルを生成するステップと、
前記最終サービスドメイン内の前記複数のリソースの能力を指定する情報を得るステップと、
前記サービスの要求事項を前記複数のリソースに関連付けるルールを含むポリシーデータベースを提供するステップと、
前記複数のリソースの能力とポリシーデータベースとを指定する前記情報に基づいて、前記複数の仮想処理部及び前記複数の仮想接続部を前記複数のリソースのそれぞれに割り当てるステップと  を含んでなるサービスを管理する方法。
【請求項６】  前記サービスの要求事項は、
前記ユーザに関連したサービスの要求事項と、
前記最終サービスプロバイダに関連した取引の要求事項と
を含むものである、請求項５に記載の方法。
【請求項７】  前記サービスモデルを生成するステップは、
ユーザが前記サービスにアクセスする少なくとも１つのリソースと最終サービスドメインのアプリケーションに対してホストとして動作する少なくとも１つのリソースとに対応する前記最終サービスドメイン内のサービス点を識別するステップを含むものである、請求項５に記載の方法。
【請求項８】  前記最終サービスドメインは、
複数の卸売りサービスドメインのそれぞれが、前記最終サービスドメインに対してトラフィックの移送を行う少なくとも１つのネットワークを備える前記複数の卸売りサービスドメインと、
複数のゲートウェイの少なくとも第１のものは、前記複数の卸売りサービスドメインの１つを前記卸売りサービスドメインの別の１つに結合させ、前記結合された卸売りサービスドメイン間を通過するトラフィック上でプロトコル変換を実行するものであり、前記複数のゲートウェイの少なくとも第２のものは、ユーザを前記最終サービスドメインに結合するように構成され、前記サービスに関連したプロトコルによって前記ユーザと通信するようにさらに構成されるものである、前記複数のゲートウェイと
を備えるものである、請求項７に記載の方法。
【請求項９】  前記複数の仮想接続部のそれぞれを、前記最終サービスドメインを通るルートを定義する前記ゲートウェイの複数の順序付きリストのそれぞれに関連付けるステップをさらに含むものである、請求項８に記載の方法。
【請求項１０】  前記複数の仮想接続部のそれぞれを、前記卸売りサービスドメイン内の複数のルートのそれぞれに関連付けるステップをさらに含むものである、請求項９に記載の方法。
【請求項１１】  サービスの配信を容易にする複数のリソースを備える最終サービスドメインを設ける手段と、
複数の仮想処理部と前記サービスに関連する前記最終サービスドメインからの複数の仮想接続部とを含むサービスモデルを生成する手段と、
前記最終サービスドメイン内の前記複数のリソースの能力を指定する情報を得る手段と、
前記サービスの要求事項を前記複数のリソースに関連付けるルールを含むポリシーデータベースを提供する手段と、
前記複数のリソースの能力とポリシーデータベースとを指定する前記情報に基づいて、前記複数の仮想処理部と前記複数の仮想接続部とを前記複数のリソースのそれぞれに割り当てる手段と
を備えてなるサービスを管理するシステム。
【請求項１２】  前記サービスの要求事項は、
前記ユーザに関連したサービスの要求事項と、
前記最終サービスプロバイダに関連した取引の要求事項と
を含むものである、請求項１１に記載のシステム。
【請求項１３】  前記サービスモデルを生成する手段は、
ユーザが前記サービスにアクセスする少なくとも１つのリソースと最終サービスドメインのアプリケーションに対してホストとして動作する少なくとも１つのリソースとに対応する前記最終サービスドメイン内のサービス点を識別する手段
を含むものである、請求項１１に記載のシステム。
【請求項１４】  前記最終サービスドメインは、
複数の卸売りサービスドメインのそれぞれが、前記最終サービスドメインに対してトラフィックの移送を行う少なくとも１つのネットワークを備える前記複数の卸売りサービスドメインと、
複数のゲートウェイの少なくとも第１のものが前記複数の卸売りサービスドメインの１つを前記卸売りサービスドメインの別の１つに結合させ、前記結合された卸売りサービスドメイン間を通過するトラフィック上でプロトコル変換を実行するものであり、前記複数のゲートウェイの少なくとも第２の１つがユーザを前記最終サービスドメインに結合するように構成され、前記サービスに関連したプロトコルによって前記ユーザと通信するようにさらに構成されるものである、前記複数のゲートウェイと
を備えるものである、請求項１３に記載のシステム。
【請求項１５】  前記複数の仮想接続部のそれぞれを、前記最終サービスドメインを通るルートを定義する前記ゲートウェイの複数の順序付きリストのそれぞれに関連付ける手段をさらに含む請求項１４に記載のシステム。
【請求項１６】  前記複数の仮想接続部のそれぞれを、前記卸売りサービスドメイン内の複数のルートのそれぞれに関連付ける手段をさらに含む請求項１５に記載のシステム。
【請求項１７】  コンピュータによってサービスを管理する処理を実行するためのコンピュータプログラムであって、該コンピュータにより実行された場合、該コンピュータが、
前記サービスの配信を容易にする複数のリソースを含む最終サービスドメインを提供するステップと、
複数の仮想処理部と前記サービスに関連する前記最終サービスドメインからの複数の仮想接続部とを含むサービスモデルを生成するステップと、
前記サービスの要求事項を前記複数のリソースに関連付けるルールを含むポリシーデータベースを提供するステップと、
前記複数のリソースの能力とポリシーデータベースとを指定する前記情報に基づいて、前記複数の仮想処理部及び前記複数の仮想接続部を前記複数のリソースのそれぞれの１つに割り当てるステップと
を含む処理を行う、コンピュータプログラム。
【請求項１８】  前記サービスの要求事項は、
前記ユーザに関連したサービスの要求事項と、
前記最終サービスプロバイダに関連した取引の要求事項と
を含むものである、請求項１７に記載のコンピュータのプログラム。
【請求項１９】  前記サービスモデルを生成するステップは、
ユーザが前記サービスにアクセスする少なくとも１つのリソース及び最終サービスドメインのアプリケーションに対してホストとして動作する少なくとも１つのリソースに対応する前記最終サービスドメイン内のサービス点を識別するステップを含むものである、請求項１７に記載のコンピュータのプログラム。
【請求項２０】  前記最終サービスドメインは、
複数の卸売りサービスドメインのそれぞれが、前記最終サービスドメインに対してトラフィックの移送を行う少なくとも１つのネットワークを備える前記複数の卸売りサービスドメインと、
複数のゲートウェイの少なくとも第１のものは、前記複数の卸売りサービスドメインの１つを前記卸売りサービスドメインの別の１つに結合させ、前記結合された卸売りサービスドメイン間を通過するトラフィック上でプロトコル変換を実行するものであり、前記複数のゲートウェイの少なくとも第２のものは、ユーザを前記最終サービスドメインに結合するように構成され、前記サービスに関連したプロトコルによって前記ユーザと通信するようにさらに構成されるものである、前記複数のゲートウェイと
を備えるものである、請求項１９に記載のコンピュータのプログラム。
【請求項２１】  前記複数の仮想接続部のそれぞれを、前記最終サービスドメインを通るルートを定義する前記ゲートウェイの複数の順序付きリストのそれぞれに関連付けるステップをさらに含む請求項２０に記載のコンピュータのプログラム。
【請求項２２】  前記複数の仮想接続部のそれぞれを、前記卸売りサービスドメイン内の複数のルートのそれぞれに関連付けるステップをさらに含む請求項２１に記載のコンピュータのプログラム。